(57)【特許請求の範囲】
【請求項１】
第１無線基地局が、第２無線基地局に対して、該第２無線基地局配下の第２セルにおいて使用可能な無線リソースを通知するスケジューリング情報を送信する工程Ａと、
前記第２無線基地局が、前記第１無線基地局に対して通知開始要求を送信する工程Ｂとを有し、
前記工程Ａにおいて、前記第１無線基地局は、前記通知開始要求に応じて、前記第２無線基地局に対する前記スケジューリング情報の送信を開始することを特徴とする移動通信方法。
【請求項２】
前記第２無線基地局は、前記スケジューリング情報によって前記第２セルにおいて使用可能な無線リソースが通知された場合、該第２セルにおいて、前記所定信号を送信するための無線リソースを優先的に割り当てる工程Ｃを更に有することを特徴とする請求項１に記載の移動通信方法。
【請求項３】
前記工程Ｂにおいて、前記第２無線基地局は、前記第２セルにおける移動局の通信コネクションの確立状況に応じて、前記第１無線基地局に対して前記通知開始要求を送信することを特徴とする請求項１に記載の移動通信方法。
【請求項４】
前記第２無線基地局が、前記第１無線基地局に対して通知停止要求を送信する工程Ｃを更に有し、
前記工程Ａにおいて、前記第１無線基地局は、前記通知停止要求に応じて、前記第２無線基地局に対する前記スケジューリング情報の送信を停止することを特徴とする請求項１に記載の移動通信方法。
【請求項５】
前記工程Ｃにおいて、前記第２無線基地局は、前記第２セルにおける移動局の通信コネクションの確立状況に応じて、前記第１無線基地局に対して前記通知停止要求を送信することを特徴とする請求項４に記載の移動通信方法。
【請求項６】
前記工程Ａにおいて、前記第１無線基地局は、前記第１セルで通信中の移動局から、前記第２セルにおける下り無線品質が所定閾値以上であることを示す測定報告を受信した場合に、前記第２無線基地局に対して、前記スケジューリング情報を送信することを特徴とする請求項１に記載の移動通信方法。
【請求項７】
第２無線基地局に接続されている無線基地局であって、
前記第２無線基地局に対して、該第２無線基地局配下の第２セルにおいて使用可能な無線リソースを通知するスケジューリング情報を送信するように構成されているスケジューリング情報送信部を具備しており、
前記スケジューリング情報送信部は、前記第２無線基地局から受信した通知開始要求に応じて、該第２無線基地局に対する前記スケジューリング情報の送信を開始するように構成されていることを特徴とする無線基地局。
【請求項８】
前記スケジューリング情報送信部は、前記第２無線基地局から受信した通知停止要求に応じて、該第２無線基地局に対する前記スケジューリング情報の送信を停止するように構成されていることを特徴とする請求項７に記載の無線基地局。
【請求項９】
前記スケジューリング情報送信部は、前記第１セルで通信中の移動局から、前記第２セルにおける下り無線品質が所定閾値以上であることを示す測定報告が受信された場合に、該第２無線基地局に対して、前記スケジューリング情報を送信するように構成されていることを特徴とする請求項７に記載の無線基地局。
【請求項１０】
第１無線基地局に接続されている無線基地局であって、
前記第１無線基地局に対して通知開始要求を送信するように構成されている通知開始要求送信部と、
前記第１無線基地局が、前記通知開始要求に応じて、前記無線基地局配下の第２セルにおいて使用可能な無線リソースを通知するスケジューリング情報を送信した場合、該スケジューリング情報を受信するように構成されているスケジューリング情報受信部と、
受信された前記スケジューリング情報に基づいて、前記第２セルにおいて所定信号を送信するための無線リソースを割り当てるように構成されているスケジューリング処理部とを具備することを特徴とする無線基地局。
【発明の詳細な説明】
【技術分野】
【０００１】
本発明は、移動通信方法及び無線基地局に関する。
【背景技術】
【０００２】
図７に示すように、マクロ無線基地局ＭＢＳ（Ｍａｃｒｏ  Ｂａｓｅ  Ｓｔａｔｉｏｎ、「ｅＮｏｄｅＢ」や「ｅＮＢ」とも呼ばれる）と、フェムト無線基地局ＦＢＳ（Ｆｅｍｔｏ  Ｂａｓｅ  Ｓｔａｔｉｏｎ、「ＨｅＮＢ」や「ＨＮＢ」とも呼ばれる）とが混在する移動通信システムの運用が検討されている。【０００３】
ここで、マクロ無線基地局ＭＢＳと通信を行う移動局を「マクロ移動局ＭＵＥ（Ｍａｃｒｏ  Ｕｓｅｒ  Ｅｑｕｉｐｍｅｎｔ）」と呼び、フェムト無線基地局ＦＢＳと通信を行う移動局を「フェムト移動局ＦＵＥ（Ｆｅｍｔｏ  Ｕｓｅｒ  Ｅｑｕｉｐｍｅｎｔ）」と呼ぶ。【０００４】
また、フェムト無線基地局ＦＢＳ配下のセルは、「ＣＳＧ（Ｃｌｏｓｅｄ  Ｓｕｂｓｃｒｉｂｅｒ  Ｇｒｏｕｐ）セル」と呼ばれてもよい。ＣＳＧセルでは、ＣＳＧに属する特定の移動局にのみ接続が許容される。例えば、家族毎にＣＳＧが設定され、家族のみが家庭に設置したＣＳＧセルに接続可能となる、といった具合である。ＣＳＧセルでは、接続許可される移動局がＣＳＧメンバーに限定されるため、ＣＳＧセルへのアクセス権のない移動局がＣＳＧセルの近傍に居て、他のセル、例えば、マクロ無線基地局ＭＢＳ配下のセルに接続して通信を行っている場合が容易に想定される。【０００５】
このように、フェムト無線基地局ＦＢＳ及びマクロ無線基地局ＭＢＳが混在する環境下では、フェムト無線基地局ＦＢＳの勢力圏内にマクロ移動局ＭＵＥが存在する場合がある。
【発明の概要】
【発明が解決しようとする課題】
【０００６】
しかしながら、上述の移動通信システムにおいて、マクロ無線基地局ＭＢＳ及びフェムト無線基地局ＦＢＳが同一の周波数帯域において運用された場合には、著しい品質劣化や容量低下を招く可能性があるという問題点があった。【０００７】
特に、マクロ移動局ＭＵＥが、フェムト無線基地局ＦＢＳの近傍に存在する場合、マクロ移動局ＭＵＥとフェムト無線基地局ＦＢＳとの干渉が問題となる。【０００８】
特に、マクロ移動局ＭＵＥが、フェムト無線基地局ＦＢＳ配下のＣＳＧセルへのアクセス権がなく、フェムト無線基地局ＦＢＳの直近で通知を行おうとする場合、マクロ移動局ＭＵＥとフェムト無線基地局ＦＢＳとの干渉が深刻な問題となる。【０００９】
図７の例では、同じマクロ無線基地局ＭＢＳに接続するマクロ移動局ＭＵＥ１及びＭＵＥ２であっても、マクロ移動局ＭＵＥ２とフェムト無線基地局ＦＢＳとの間の干渉は両者の距離が遠いため大きな問題とならないが、マクロ移動局ＭＵＥ１とフェムト無線基地局ＦＢＳとの間の干渉は両者の距離が近いため大きな問題となる。【００１０】
例えば、マクロ移動局ＭＵＥ１が、上り信号を送信する際に、フェムト移動局ＦＵＥが、同時に同じ無線リソースを使って上り信号を送信すると、フェムト無線基地局ＦＢＳが、マクロ移動局ＭＵＥ１からの干渉を受け、フェムト移動局ＦＵＥからの上り信号を正しく受信できない可能性がある。【００１１】
同様に、マクロ移動局ＭＵＥ１が、マクロ無線基地局ＭＢＳからの下り信号を受信する際に、フェムト無線基地局ＦＢＳ、同時に同じ無線リソースを使ってフェムト移動局ＦＵＥに下り信号を送信すると、マクロ移動局ＭＵＥ１が、マクロ無線基地局ＭＢＳからの下り信号を正しく受信できない可能性がある。【００１２】
そこで、本発明は、上述の課題に鑑みてなされたものであり、マクロ無線基地局ＭＢＳ（第１無線基地局）及びフェムト無線基地局ＦＢＳ（第２無線基地局）が混在する移動通信システムにおける干渉の影響を抑制することができる移動通信方法及び無線基地局を提供することを目的とする。
【課題を解決するための手段】
【００１３】
本発明の第１の特徴は、移動通信方法であって、第１無線基地局が、第２無線基地局に対して、該第１無線基地局配下の第１セルにおいて所定信号を送信するために割り当てられている無線リソース、該第２無線基地局配下の第２セルにおいて使用可能な無線リソース、或いは、該第２無線基地局配下の第２セルにおいて使用不可能な無線リソースを通知するスケジューリング情報を送信する工程Ａを有することを要旨とする。【００１４】
本発明の第２の特徴は、第２無線基地局に接続されている無線基地局であって、前記第２無線基地局に対して、前記無線基地局配下の第１セルにおいて割り当てられている所定信号を送信するための無線リソース、該第２無線基地局配下の第２セルにおいて使用可能な無線リソース、或いは、該第２無線基地局配下の第２セルにおいて使用不可能な無線リソースを通知するスケジューリング情報を送信するように構成されているスケジューリング情報送信部を具備することを要旨とする。【００１５】
本発明の第３の特徴は、第１無線基地局に接続されている無線基地局であって、前記第１無線基地局に対して通知開始要求を送信するように構成されている通知開始要求送信部と、前記第１無線基地局が、前記通知開始要求に応じて、該第１無線基地局配下の第１セルにおいて割り当てられている所定信号を送信するための無線リソース、該第２無線基地局配下の第２セルにおいて使用可能な無線リソース、或いは、該第２無線基地局配下の第２セルにおいて使用不可能な無線リソースを通知するスケジューリング情報を送信した場合、該スケジューリング情報を受信するように構成されているスケジューリング情報受信部と、受信された前記スケジューリング情報に基づいて、前記無線基地局配下の第２セルにおいて所定信号を送信するための無線リソースを割り当てるように構成されているスケジューリング処理部とを具備することを要旨とする。
【発明の効果】
【００１６】
以上説明したように、本発明によれば、マクロ無線基地局ＭＢＳ（第１無線基地局）及びフェムト無線基地局ＦＢＳ（第２無線基地局）が混在する移動通信システムにおける干渉の影響を抑制することができる移動通信方法及び無線基地局を提供することができる。
【図面の簡単な説明】
【００１７】
【図１】図１は、本発明の第１の実施形態に係る移動通信システムの全体構成図である。
【図２】図２は、本発明の第１の実施形態に係るマクロ無線基地局の機能ブロック図である。
【図３】図３は、本発明の第１の実施形態に係るマクロ無線基地局の状態管理部によって管理される通知状態の一例を示す図である。
【図４】図４は、本発明の第１の実施形態に係るマクロ無線基地局のスケジューリング情報送信部によって送信されるスケジューリング情報のフォーマットの一例を示す図である。
【図５】図５は、本発明の第１の実施形態に係るフェムト無線基地局の機能ブロック図である。
【図６】図６は、本発明の第１の実施形態に係る移動通信システムの動作を示すシーケンス図である。
【図７】図７は、従来の移動通信システムの問題点を説明するための図である。
【発明を実施するための形態】
【００１８】
（本発明の第１の実施形態に係る移動通信システムの構成）
図１乃至図５を参照して、本発明の第１の実施形態に係る移動通信システムの構成について説明する。
【００１９】
図１に示すように、本実施形態に係る移動通信システムは、マクロ無線基地局ＭＢＳ１乃至ＭＢＳ３と、フェムト無線基地局ＦＢＳ１乃至ＦＢＳ３と、フェムト無線基地局ＦＢＳ１乃至ＦＢＳ３を集約するゲートウェイ装置ＨＧＷ（Ｈｏｍｅ  ｅＮＢ  Ｇａｔｅｗａｙ）と、マクロ無線基地局ＭＢＳ１乃至ＭＢＳ３を集約し、ゲートウェイ装置ＨＧＷに接続されている交換局ＭＭＥ（Ｍｏｂｉｌｉｔｙ  Ｍａｎａｇｅｍｅｎｔ  Ｅｑｕｉｐｍｅｎｔ）とを具備している。
【００２０】
フェムト無線基地局ＦＢＳ１乃至ＦＢＳ３とゲートウェイ装置ＨＧＷとがＳ１インターフェイスで接続されており、ゲートウェイ装置ＨＧＷと交換局ＭＭＥとがＳ１インターフェイスで接続されており、マクロ無線基地局ＭＢＳ１乃至ＭＢＳ３と交換局ＭＭＥとがＳ１インターフェイスで接続されており、マクロ無線基地局ＭＢＳ１乃至ＭＢＳ３同士がＸ２インターフェイスで接続されている。
【００２１】
ここで、マクロ無線基地局ＭＢＳ１乃至ＭＢＳ３同士がＸ２インターフェイスで接続されていてもよい。また、ゲートウェイ装置ＨＧＷを介することなく、フェムト無線基地局ＦＢＳ１乃至ＦＢＳ３と交換局ＭＭＥとがＳ１インターフェイスで接続されていてもよい。
【００２２】
以下、図２を参照して、マクロ無線基地局ＭＢＳ１乃至ＭＢＳ３の構成について説明する。ここで、マクロ無線基地局ＭＢＳ１乃至ＭＢＳ３の構成は、基本的に同一であるため、以下、これらを代表して、マクロ無線基地局ＭＢＳとして説明する。
【００２３】
図２に示すように、マクロ無線基地局ＭＢＳは、通知開始要求受信部１１Ａと、通知停止要求受信部１１Ｂと、測定報告受信部１２と、状態管理部１３と、スケジューリング情報送信部１４とを具備している。
【００２４】
通知開始要求受信部１１Ａは、フェムトセルにおいて少なくとも１つの通信コネクションが確立された場合にフェムト無線基地局ＦＢＳ或いはゲートウェイ装置ＨＧＷによって送信された通知開始要求を受信するように構成されている。
【００２５】
通知停止要求受信部１１Ｂは、フェムトセルにおいて全ての通信コネクションが解放された場合にフェムト無線基地局ＦＢＳ或いはゲートウェイ装置ＨＧＷによって送信された通知停止要求を受信するように構成されている。
【００２６】
状態管理部１３は、各フェムト無線基地局の状態を、通知状態又は非通知状態のどちらであるかについて管理するように構成されている。
【００２７】
具体的には、状態管理部１３は、フェムトセルにおいて通信中の移動局ＵＥの存在を検知した場合で、かつ、マクロセルで通信中の移動局ＵＥから、かかるフェムトセルにおける下り無線品質が所定閾値以上であることを示す測定報告（ＭＲ：Ｍｅａｓｕｒｅｍｅｎｔ  Ｒｅｐｏｒｔ）を受信した場合に、かかるフェムトセルを管理するフェムト無線基地局ＦＢＳの状態を通知状態として管理するように構成されている。
【００２８】
また、状態管理部１３は、フェムトセルにおいて通信中の移動局ＵＥの存在を検知した場合に、かかるフェムトセルを管理するフェムト無線基地局ＦＢＳの状態を通知状態として管理するように構成されていてもよい。
【００２９】
或いは、状態管理部１３は、マクロセルで通信中の移動局ＵＥから、かかるフェムトセルにおける下り無線品質が所定閾値以上であることを示す測定報告を受信した場合に、かかるフェムトセルを管理するフェムト無線基地局ＦＢＳの状態を通知状態として管理するように構成されていてもよい。
【００３０】
ここで、状態管理部１３は、フェムト無線基地局ＦＢＳ配下のフェムトセルにおいて少なくとも１つの通信コネクションが確立された場合にフェムト無線基地局ＦＢＳ又はゲートウェイ装置ＨＧＷによって送信された通知開始要求に応じて、かかるフェムトセルにおいて通信中の移動局ＵＥの存在を検知するように構成されていてもよい。
【００３１】
また、状態管理部１３は、フェムト無線基地局ＦＢＳ配下のフェムトセルにおいて全ての通信コネクションが解放された場合にフェムト無線基地局ＦＢＳ又はゲートウェイ装置ＨＧＷによって送信された通知停止要求に応じて、かかるフェムトセルを管理するフェムト無線基地局の状態を非通知状態として管理するように構成されていてもよい。
【００３２】
また、かかる測定報告には、フェムト無線基地局ＦＢＳのＩＤが含まれている。かかるフェムト無線基地局ＦＢＳのＩＤとしては、「ＰＣＩ（Ｐｈｙｓｉｃａｌ  Ｃｅｌｌ  Ｉｄｅｎｔｉｔｙ）」や「ＣＩＤ（Ｃｅｌｌ  Ｉｄｅｎｔｉｔｙ）」や「ＣＧＩ（Ｃｅｌｌ  Ｇｌｏｂａｌ  Ｉｄｅｎｔｉｔｙ）」等が想定される。
【００３３】
なお、マクロ無線基地局ＭＢＳは、マクロ移動局ＭＵＥに対して、例えば、周辺セルの「ＲＳＲＰ（Ｒｅｆｅｒｅｎｃｅ  Ｓｉｇｎａｌ  Ｒｅｃｅｉｖｅｄ  Ｐｏｗｅｒ）」や「ＲＳＲＱ（Ｒｅｆｅｒｅｎｃｅ  Ｓｉｇｎａｌ  Ｒｅｃｅｉｖｅｄ  Ｑｕａｌｉｔｙ）」等が所定閾値以上になったら、測定報告を送信するように指示してもよい。
【００３４】
また、マクロ無線基地局ＭＢＳは、マクロ移動局ＭＵＥがフェムト無線基地局ＦＢＳから遠ざかったことを検出するために、マクロ移動局ＭＵＥに対して、例えば、周辺セルの「ＲＳＲＰ」や「ＲＳＲＱ」等が所定閾値以下になったら、測定報告を送信するように指示してもよい。
【００３５】
或いは、マクロ無線基地局ＭＢＳは、マクロ移動局ＭＵＥに対して、周辺セルの「ＲＳＲＰ」や「ＲＳＲＱ」等を含む測定報告を周期的に送信するように指示してもよい。
【００３６】
例えば、図３に示すように、状態管理部１３は、フェムト無線基地局ＦＢＳ配下のフェムトセルに接続中のフェムト移動局ＦＵＥが存在する場合（「ＦＢＳ接続ＦＵＥの有無」＝「有」の場合）で、かつ、かかるフェムト無線基地局ＦＢＳの近傍にマクロ移動局ＭＵＥが存在する場合（「ＦＢＳ近傍ＭＵＥの有無」＝「有」の場合）には、かかるフェムト無線基地局ＦＢＳの状態を「通知状態」として管理するように構成されている。
【００３７】
また、状態管理部１３は、フェムト無線基地局ＦＢＳ配下のフェムトセルに接続中のフェムト移動局ＦＵＥが存在する場合（「ＦＢＳ接続ＦＵＥの有無」＝「有」の場合）で、かつ、かかるフェムト無線基地局ＦＢＳの近傍にマクロ移動局ＭＵＥが存在しない場合（「ＦＢＳ近傍ＭＵＥの有無」＝「無」の場合）には、かかるフェムト無線基地局ＦＢＳの状態を「非通知状態」として管理するように構成されている。
【００３８】
また、状態管理部１３は、フェムト無線基地局ＦＢＳ配下のフェムトセルに接続中のフェムト移動局ＦＵＥが存在しない場合（「ＦＢＳ接続ＦＵＥの有無」＝「無」の場合）で、かつ、かかるフェムト無線基地局ＦＢＳの近傍にマクロ移動局ＭＵＥが存在する場合（「ＦＢＳ近傍ＭＵＥの有無」＝「有」の場合）には、かかるフェムト無線基地局ＦＢＳの状態を「非通知状態」として管理するように構成されている。
【００３９】
さらに、状態管理部１３は、フェムト無線基地局ＦＢＳ配下のフェムトセルに接続中のフェムト移動局ＦＵＥが存在しない場合（「ＦＢＳ接続ＦＵＥの有無」＝「無」の場合）で、かつ、かかるフェムト無線基地局ＦＢＳの近傍にマクロ移動局ＭＵＥが存在しない場合（「ＦＢＳ近傍ＭＵＥの有無」＝「無」の場合）には、かかるフェムト無線基地局ＦＢＳの状態を「非通知状態」として管理するように構成されている。
【００４０】
スケジューリング情報送信部１４は、所定タイミングで、フェムト無線基地局ＦＢＳに対して、マクロ無線基地局ＭＢＳ配下のマクロセルにおいて割り当てられている所定信号を送信するための無線リソース、フェムト無線基地局ＦＢＳ配下のフェムトセルにおいて使用可能な無線リソース、或いは、フェムト無線基地局ＦＢＳ配下のフェムトセルにおいて使用不可能な無線リソースを通知するスケジューリング情報を送信するように構成されている。
【００４１】
例えば、スケジューリング情報送信部１４は、状態管理部１３によってフェムト無線基地局ＦＢＳの状態が通知状態であると管理されている場合に、所定タイミングで、かかるフェムト無線基地局ＦＢＳに対して、マクロ無線基地局ＭＢＳ配下のマクロセルにおいて割り当てられている所定信号を送信するための無線リソースを通知するスケジューリング情報を送信するように構成されていてもよい。
【００４２】
具体的には、スケジューリング情報送信部１４は、受信した測定報告に含まれる「マクロ移動局ＭＵＥのＩＤ（Ｃ-ＲＮＴＩ）」や「フェムト無線基地局ＦＢＳのＩＤ（ＩＰアドレスやＰＣＩやＣＩＤやＣＧＩ等）」に基づいて、スケジューリング情報の送信対象のフェムト無線基地局ＦＢＳを特定するように構成されていてもよい。
【００４３】
かかる場合に、スケジューリング情報送信部１４は、スケジューリング情報の送信対象のフェムト無線基地局ＦＢＳに対して、かかるマクロセルにおいて当該マクロ移動局ＭＵＥ宛ての信号に対して割り当てられている無線リソースの割り当て情報のみを送信するように構成されていてもよい。
【００４４】
一方、スケジューリング情報送信部１４は、状態管理部１３によってフェムト無線基地局ＦＢＳの状態が非通知状態であると管理されている場合に、かかるフェムト無線基地局ＦＢＳに対して、マクロ無線基地局ＭＢＳ配下のマクロセルにおいて割り当てられている所定信号を送信するための無線リソースを通知するスケジューリング情報を送信しないように構成されていてもよい。
【００４５】
なお、スケジューリング情報には、図４に示すように、下りリンク信号を送信するための無線リソースの割り当て情報が含まれている。また、スケジューリング情報には、同様に、上りリンク信号を送信するための無線リソースの割り当て情報が含まれている。
【００４６】
また、スケジューリング情報には、時間方向の無線リソースの割り当て情報が含まれていてもよいし、周波数方向の無線リソースの割り当て情報が含まれていてもよい。
【００４７】
スケジューリング情報送信部１４は、一定周期で、スケジューリング情報を送信するように構成されていてもよいし、スケジューリング内容に変更が生じた場合にのみ、スケジューリング情報を送信するように構成されていてもよい。
【００４８】
すなわち、マクロ無線基地局ＭＢＳは、フェムト無線基地局ＦＢＳの近傍にマクロ移動局ＭＵＥが１台でも存在すると判断した場合には、かかるフェムト無線基地局ＦＢＳに対してスケジューリング情報の送信が必要な状態、すなわち、かかるフェムト無線基地局ＦＢＳが「通知状態」であると判断する。
【００４９】
一方、マクロ無線基地局ＭＢＳは、フェムト無線基地局ＦＢＳの近傍にマクロ移動局ＭＵＥが１台も存在しないと判断した場合には、かかるフェムト無線基地局ＦＢＳに対してスケジューリング情報の送信が不要な状態、すなわち、かかるフェムト無線基地局ＦＢＳが「非通知状態」であると判断する。
【００５０】
ここで、フェムト無線基地局ＦＢＳによって無線リソースの割り当てを調整することによって、干渉の影響を抑制することが有効であるのは、フェムト無線基地局ＦＢＳに接続しているフェムト移動局ＦＵＥが存在している場合である。
【００５１】
したがって、フェムト無線基地局ＦＢＳに接続しているフェムト移動局ＦＵＥが存在しない場合には、マクロ無線基地局ＭＢＳからフェムト無線基地局ＦＢＳへのスケジューリング情報の送信は不要であり、バックホール回線におけるシグナリングが無駄になる。
【００５２】
そこで、マクロ無線基地局ＭＢＳにおけるフェムト無線基地局ＦＢＳの状態（通知状態又は非通知状態）を、フェムト無線基地局ＦＢＳに接続しているフェムト移動局ＦＵＥの有無によって制御することが有効である。
【００５３】
図５に示すように、フェムト無線基地局ＦＢＳは、コネクション管理部２１と、通知開始要求送信部２２と、通知停止要求送信部２３と、スケジューリング情報受信部２４と、スケジューリング処理部２５とを具備している。
【００５４】
コネクション管理部２１は、フェムト無線基地局ＦＢＳ配下のフェムトセル（第２セル）における通信コネクションの確立状況を管理するように構成されている。
【００５５】
通知開始要求送信部２２は、フェムト無線基地局ＦＢＳが、フェムト無線基地局ＦＢＳ配下のフェムトセルにおいて少なくとも１つの通信コネクションを確立した場合に、マクロ無線基地局ＭＢＳに対して通知開始要求を送信するように構成されている。
【００５６】
例えば、通知開始要求送信部２２は、発着信時やハンドオーバ時等において、フェムト無線基地局ＦＢＳとフェムト移動局ＦＵＥとの間で通信コネクションが確立された場合に、マクロ無線基地局ＭＢＳに対して通知開始要求を送信するように構成されている。
【００５７】
なお、通知開始要求送信部２２は、フェムト無線基地局ＦＢＳ配下のフェムトセル内に、既にフェムト移動局ＦＵＥが存在している状態で、新たにフェムト移動局ＦＵＥが通信コネクションを確立した場合には、通知開始要求を送信しないように構成されていてもよい。
【００５８】
通知停止要求送信部２３は、フェムト無線基地局ＦＢＳが、フェムト無線基地局ＦＢＳ配下のフェムトセルにおいて全ての通信コネクションを解放した場合に、マクロ無線基地局ＭＢＳに対して通知停止要求を送信するように構成されている。
【００５９】
例えば、通知停止要求送信部２３は、呼終了時やスケルチ時やハンドオーバ時等において、フェムト無線基地局ＦＢＳとフェムト移動局ＦＵＥとの間で通信コネクションが解放された場合に、マクロ無線基地局ＭＢＳに対して通知停止要求を送信するように構成されている。
【００６０】
なお、通知停止要求送信部２３は、フェムト無線基地局ＦＢＳ配下のフェムトセル内で、特定のフェムト移動局ＦＵＥの通信コネクションを開放した場合であっても、他のフェムト移動局ＦＵＥの通信コネクションが残っている場合には、通知停止要求の送信を送信しないように構成されていてもよい。
【００６１】
スケジューリング情報受信部２４は、マクロ無線基地局ＭＢＳによって送信されたスケジューリング情報を受信するように構成されている。
【００６２】
スケジューリング処理部２５は、フェムト無線基地局ＦＢＳ配下のフェムトセルにおいて所定信号を送信するための無線リソースを割り当てるように構成されている。
【００６３】
ここで、スケジューリング処理部２５は、フェムト無線基地局ＦＢＳ配下のフェムトセルにおいて、スケジューリング情報受信部２４によって受信されたスケジューリング情報によって通知された無線リソースに基づいて、所定信号を送信するための無線リソースを決定するように構成されている。
【００６４】
例えば、スケジューリング処理部２５は、スケジューリング情報受信部２４によって受信されたスケジューリング情報によって、マクロ無線基地局ＭＢＳ配下のマクロセルにおいて所定信号を送信するために割り当てられている無線リソースが通知された場合、フェムト無線基地局ＦＢＳ配下のフェムトセルにおいて、かかる所定信号を送信するための無線リソースを優先的に割り当てないように構成されていてもよい。
【００６５】
また、スケジューリング処理部２５は、スケジューリング情報受信部２４によって受信されたスケジューリング情報によって、フェムト無線基地局ＦＢＳ配下のフェムトセルにおいて使用可能な無線リソースが通知された場合、フェムト無線基地局ＦＢＳ配下のフェムトセルにおいて、かかる所定信号を送信するための無線リソースを優先的に割り当てるように構成されていてもよい。
【００６６】
或いは、スケジューリング処理部２５は、スケジューリング情報受信部２４によって受信されたスケジューリング情報によって、フェムト無線基地局ＦＢＳ配下のフェムトセルにおいて使用不可能な無線リソースが通知された場合、フェムト無線基地局ＦＢＳ配下のフェムトセルにおいて、かかる所定信号を送信するための無線リソースを割り当てないように構成されていてもよい。
【００６７】
或いは、スケジューリング処理部２５は、フェムト無線基地局ＦＢＳ配下のフェムトセルにおいて、スケジューリング情報受信部２４によって受信されたスケジューリング情報によって通知された無線リソースを、所定信号を送信するための無線リソースとして割り当てるが、かかる無線リソースの使用優先度を下げるように構成されていてもよい。
【００６８】
なお、図５の機能の一部又は全部は、フェムト無線基地局ＦＢＳではなく、ゲートウェイ装置ＨＧＷに具備されていてもよい。
【００６９】
（本発明の第１の実施形態に係る移動通信システムの動作）
図６を参照して、本発明の第１の実施形態に係る移動通信システムの動作について説明する。
【００７０】
図６に示すように、フェムト移動局ＦＵＥと交換局ＭＭＥとの間で、フェムト無線基地局ＦＢＳ及びゲートウェイ装置ＨＧＷを介して、通信コネクションが確立され（ステップＳ１０００）、ステップＳ１００１において、マクロ移動局ＭＵＥとマクロ無線基地局ＭＢＳとの間で、通信コネクションが確立される（ステップＳ１００１）。かかる時点では、マクロ無線基地局ＭＢＳにおいて、フェムト無線基地局ＦＢＳの状態は「非通知状態」である。
【００７１】
ステップＳ１００２において、フェムト無線基地局ＦＢＳは、フェムト移動局ＦＵＥと交換局ＭＭＥとの間の通信コネクションの確立に応じて、ゲートウェイ装置ＨＧＷに対して通知開始要求を送信し、ステップＳ１００３において、ゲートウェイ装置ＨＧＷが、マクロ無線基地局ＭＢＳに対して通知開始要求を送信する。なお、ステップＳ１００２は、省略されていてもよい。
【００７２】
ここで、マクロ無線基地局ＭＢＳは、かかる通知開始要求の受信に応じて、フェムト無線基地局ＦＢＳの状態を「通知状態」としてもよい。
【００７３】
また、マクロ無線基地局ＭＢＳは、かかる通知開始要求を受信した後、ステップＳ１００４において、マクロ無線基地局ＭＢＳ配下のマクロセル内で通信中のマクロ移動局ＭＵＥから、フェムト無線基地局ＦＢＳ配下のフェムトセルにおける下り無線品質が所定閾値以上であることを示す測定報告を受信した場合に、かかるフェムト無線基地局ＦＢＳの状態を「通知状態」としてもよい。
【００７４】
その後、マクロ無線基地局ＭＢＳは、一定周期で、或いは、スケジューリング内容が変更した場合に、ゲートウェイ装置ＨＧＷを介して、フェムト無線基地局ＦＢＳに対して、マクロ無線基地局ＭＢＳにおいて割り当てられている所定信号（例えば、上述のマクロ移動局宛ての信号）を送信するための無線リソースを通知するスケジューリング情報を送信する（ステップＳ１００５Ａ、Ｓ１００６Ａ、Ｓ１００５Ｂ、Ｓ１００６Ｂ、Ｓ１００５Ｃ、Ｓ１００６Ｃ等）。
【００７５】
フェムト無線基地局ＦＢＳは、かかるスケジューリング情報を受信すると、かかるスケジューリング情報によって通知された無線リソースを回避して、フェムト無線基地局ＦＢＳ配下のフェムトセルにおけるフェムト移動局ＦＵＥへのスケジューリング処理を行う。
【００７６】
ここで、フェムト無線基地局ＦＢＳは、スケジューリング情報によって通知された無線リソースを完全に回避してもよいし、スケジューリング情報によって通知された無線リソース使用優先度を落としてもよい。
【００７７】
また、フェムト無線基地局ＦＢＳは、スケジューリング情報によって通知された無線リソースについては、送信電力を抑えて少量のデータを送信するようにしてもよい。
【００７８】
ステップＳ１００７において、フェムト移動局ＦＵＥと交換局ＭＭＥとの間の通信コネクションが解放されると、ステップＳ１００８において、フェムト無線基地局ＦＢＳは、ゲートウェイ装置ＨＧＷに対して通知停止要求を送信し、ステップＳ１００９において、ゲートウェイ装置ＨＧＷが、マクロ無線基地局ＭＢＳに対して通知停止要求を送信する。なお、ステップＳ１００８は、省略されていてもよい。
【００７９】
ここで、マクロ無線基地局ＭＢＳは、かかる通知停止要求の受信に応じて、フェムト無線基地局ＦＢＳの状態を「非通知状態」とする。
【００８０】
また、マクロ無線基地局ＭＢＳは、かかる通知停止要求を受信していない場合であっても、ステップＳ１０１０において、マクロ無線基地局ＭＢＳ配下のマクロセル内で通信中のマクロ移動局ＭＵＥから、フェムト無線基地局ＦＢＳ配下のフェムトセルにおける下り無線品質が所定閾値以上でないことを示す測定報告を受信した場合に、かかるフェムト無線基地局ＦＢＳの状態を「非通知状態」とする。
【００８１】
なお、上述の実施形態では、フェムト無線基地局ＦＢＳ又はゲートウェイ装置ＨＧＷとマクロ無線基地局ＭＢＳとの間のシグナリングは、Ｓ１インターフェイスを用いて交換局ＭＭＥ経由で行われることを想定して説明したが、ゲートウェイ装置ＨＧＷとマクロ無線基地局ＭＢＳとの間や、フェムト無線基地局ＦＢＳとマクロ無線基地局ＭＢＳと間に、既にＸ２インターフェイスが設定されている場合には、これらのＸ２インターフェイスを用いて同様なシグナリングを行うことができる。
【００８２】
また、ゲートウェイ装置ＨＧＷが、マクロ無線基地局ＭＢＳからのスケジューリング通知を、配下のフェムト無線基地局ＦＢＳに適切にルーティングする機能を持っていてもよい。
【００８３】
更には、フェムト無線基地局ＦＢＳ又はゲートウェイ装置ＨＧＷが、マクロ無線基地局ＭＢＳに対して通知開始要求を送信するのと同時に、ゲートウェイ装置ＨＧＷとマクロ無線基地局ＭＢＳとの間或いはフェムト無線基地局ＦＢＳとマクロ無線基地局ＭＢＳと間で、Ｘ２インターフェイスを設定する処理が行われてもよい。
【００８４】
（本発明の第１の実施形態に係る移動通信システムの作用・効果）
本発明の第１の実施形態に係る移動通信システムによれば、マクロ無線基地局ＭＢＳがフェムト無線基地局ＦＢＳに対してスケジューリング情報を通知することができるので、フェムト無線基地局ＦＢＳにおいて干渉を効果的に低減することができる。
【００８５】
以上に述べた本実施形態の特徴は、以下のように表現されていてもよい。
【００８６】
本実施形態の第１の特徴は、移動通信方法であって、マクロ無線基地局ＭＢＳ（第１無線基地局）が、所定タイミングで、フェムト無線基地局ＦＢＳ（第２無線基地局）に対して、マクロ無線基地局ＭＢＳ配下のマクロセル（第１セル）において所定信号を送信するために割り当てられている無線リソース、フェムト無線基地局ＦＢＳ配下のフェムトセル（第２セル）において使用可能な無線リソース、或いは、フェムト無線基地局ＦＢＳ配下のフェムトセルにおいて使用不可能な無線リソースを通知するスケジューリング情報を送信する工程Ａを有することを要旨とする。
【００８７】
本実施形態の第１の特徴において、フェムト無線基地局ＦＢＳが、マクロ無線基地局ＭＢＳに対して通知開始要求を送信する工程Ｂを更に有し、工程Ａにおいて、マクロ無線基地局ＭＢＳは、通知開始要求に応じて、フェムト無線基地局ＦＢＳに対するスケジューリング情報の送信を開始してもよい。
【００８８】
本実施形態の第１の特徴において、工程Ｂにおいて、フェムト無線基地局ＦＢＳは、フェムト無線基地局ＦＢＳ配下のフェムトセルにおいて少なくとも１つの移動局ＦＵＥとの間の通信コネクションを確立した場合に、マクロ無線基地局ＭＢＳに対して通知開始要求を送信してもよい。
【００８９】
本実施形態の第１の特徴において、フェムト無線基地局ＦＢＳが、マクロ無線基地局ＭＢＳに対して通知停止要求を送信する工程Ｃを更に有し、工程Ａにおいて、マクロ無線基地局ＭＢＳは、通知停止要求に応じて、フェムト無線基地局ＦＢＳに対するスケジューリング情報の送信を停止してもよい。
【００９０】
本実施形態の第１の特徴において、工程Ｃにおいて、フェムト無線基地局ＦＢＳは、フェムト無線基地局ＦＢＳ配下のフェムトセルにおいて全ての移動局ＦＵＥとの間の通信コネクションを解放した場合に、マクロ無線基地局ＭＢＳに対して通知停止要求を送信してもよい。
【００９１】
本実施形態の第１の特徴において、工程Ａにおいて、マクロ無線基地局ＭＢＳは、フェムト無線基地局ＦＢＳの状態を通知状態として管理している場合に、所定タイミングで、フェムト無線基地局ＦＢＳに対してスケジューリング情報を送信してもよい。
【００９２】
本実施形態の第１の特徴において、フェムト無線基地局ＦＢＳが、フェムト無線基地局ＦＢＳ配下のフェムトセルにおいて所定信号を送信するための無線リソースを割り当てる工程Ｄを更に有してもよい。
【００９３】
本実施形態の第１の特徴において、工程Ｄにおいて、フェムト無線基地局ＦＢＳは、フェムトセルにおいて、スケジューリング情報によって通知された無線リソースに基づいて、所定信号を送信するための無線リソースを決定してもよい。
【００９４】
本実施形態の第１の特徴において、マクロ無線基地局ＭＢＳが、フェムトセルにおいて通信中の移動局ＦＵＥの存在を検知した場合に、フェムト無線基地局ＦＢＳの状態を通知状態として管理する工程Ｅを更に有してもよい。
【００９５】
本実施形態の第１の特徴において、マクロ無線基地局ＭＢＳが、マクロセルで通信中の移動局ＭＵＥから、フェムトセルにおける下り無線品質が所定閾値以上であることを示す測定報告を受信した場合に、フェムト無線基地局ＦＢＳの状態を通知状態として管理する工程Ｅを更に有してもよい。
【００９６】
本実施形態の第１の特徴において、工程Ｅにおいて、マクロ無線基地局ＭＢＳは、フェムト無線基地局ＦＢＳから受信した通知開始要求に応じて、フェムトセルにおいて通信中の移動局ＵＥの存在を検知してもよい。
【００９７】
本実施形態の第１の特徴において、マクロ無線基地局ＭＢＳが、フェムト無線基地局ＦＢＳから受信した通知停止要求に応じて、フェムト無線基地局ＦＢＳの状態を非通知状態として管理する工程Ｆを更に有してもよい。
【００９８】
本実施形態の第１の特徴において、フェムト無線基地局ＦＢＳを集約するゲートウェイ装置ＨＧＷが、フェムトセルにおいて少なくとも１つの移動局ＦＵＥとの間の通信コネクションが確立されたことを検出した場合に、マクロ無線基地局ＭＢＳに対して通知開始要求を送信する工程Ｇを更に有し、工程Ｅにおいて、マクロ無線基地局ＭＢＳが、通知開始要求に応じて、フェムトセルにおいて通信中の移動局ＦＵＥの存在を検知してもよい。
【００９９】
本実施形態の第１の特徴において、フェムト無線基地局ＦＢＳを集約するゲートウェイ装置ＨＧＷが、フェムトセルにおいて全ての移動局ＦＵＥとの間の通信コネクションが解放されたことを検知した場合に、マクロ無線基地局ＭＢＳに対して通知停止要求を送信する工程Ｈと、マクロ無線基地局ＭＢＳが、通知停止要求に応じて、フェムト無線基地局ＦＢＳの状態を非通知状態として管理する工程Ｉとを更に有してもよい。
【０１００】
本実施形態の第１の特徴において、マクロ無線基地局ＭＢＳが、マクロセルで通信中の移動局ＭＵＥから、フェムトセルにおける下り無線品質が所定閾値以上でないことを示す測定報告を受信した場合に、フェムト無線基地局ＦＢＳの状態を非通知状態として管理する工程Ｊを更に有してもよい。
【０１０１】
本実施形態の第２の特徴は、フェムト無線基地局ＦＢＳに接続されているマクロ無線基地局ＭＢＳであって、所定タイミングで、フェムト無線基地局ＦＢＳに対して、マクロ無線基地局ＭＢＳ配下のマクロセルにおいて割り当てられている所定信号を送信するための無線リソース、フェムト無線基地局ＦＢＳ配下のフェムトセルにおいて使用可能な無線リソース、或いは、フェムト無線基地局ＦＢＳ配下のフェムトセルにおいて使用不可能な無線リソースを通知するスケジューリング情報を送信するように構成されているスケジューリング情報送信部１４を具備することを要旨とする。
【０１０２】
本実施形態の第２の特徴において、スケジューリング情報送信部１４は、フェムト無線基地局ＦＢＳから受信した通知開始要求に応じて、フェムト無線基地局ＦＢＳに対するスケジューリング情報の送信を開始するように構成されていてもよい。
【０１０３】
本実施形態の第２の特徴において、スケジューリング情報送信部１４は、フェムト無線基地局ＦＢＳから受信した通知停止要求に応じて、フェムト無線基地局ＦＢＳに対するスケジューリング情報の送信を停止するように構成されていてもよい。
【０１０４】
本実施形態の第２の特徴において、フェムト無線基地局ＦＢＳの状態が通知状態又は非通知状態のどちらであるかについて管理するように構成されている状態管理部１３を更に具備し、スケジューリング情報送信部１４は、状態管理部１３によってフェムト無線基地局ＦＢＳの状態が通知状態であると管理されている場合に、所定タイミングで、フェムト無線基地局ＦＢＳに対してスケジューリング情報を送信するように構成されていてもよい。
【０１０５】
本実施形態の第２の特徴において、状態管理部１３は、フェムト無線基地局ＦＢＳ配下のフェムトセルにおいて通信中の移動局ＦＵＥの存在を検知した場合に、フェムト無線基地局ＦＢＳの状態を通知状態として管理するように構成されていてもよい。
【０１０６】
本実施形態の第２の特徴において、状態管理部１３は、マクロセルで通信中の移動局ＭＵＥから、フェムトセルにおける下り無線品質が所定閾値以上であることを示す測定報告を受信した場合に、フェムト無線基地局ＦＢＳの状態を通知状態として管理するように構成されていてもよい。
【０１０７】
本実施形態の第２の特徴において、状態管理部１３は、フェムト無線基地局ＦＢＳから受信した通知開始要求に応じて、フェムトセルにおいて通信中の移動局ＦＵＥの存在を検知するように構成されていてもよい。
【０１０８】
本実施形態の第２の特徴において、状態管理部１３は、フェムト無線基地局ＦＢＳから受信した通知停止要求に応じて、フェムト無線基地局ＦＢＳの状態を非通知状態として管理するように構成されていてもよい。
【０１０９】
本実施形態の第２の特徴において、状態管理部１３は、フェムト無線基地局ＦＢＳを集約するゲートウェイ装置ＨＧＷから受信した通知開始要求に応じて、フェムトセルにおいて通信中の移動局ＦＵＥの存在を検知するように構成されていてもよい。
【０１１０】
本実施形態の第２の特徴において、状態管理部１３は、フェムト無線基地局ＦＢＳを集約するゲートウェイ装置ＨＧＷから受信した通知停止要求に応じて、フェムト無線基地局ＦＢＳの状態を非通知状態として管理するように構成されていてもよい。
【０１１１】
本実施形態の第２の特徴において、状態管理部１３は、マクロセルで通信中の移動局ＭＵＥから、フェムトセルにおける下り無線品質が所定閾値以上でないことを示す測定報告を受信した場合に、フェムト無線基地局ＦＢＳの状態を非通知状態として管理するように構成されていてもよい。
【０１１２】
本実施形態の第３の特徴は、マクロ無線基地局ＭＢＳに接続されているフェムト無線基地局ＦＢＳであって、マクロ無線基地局ＭＢＳに対して通知開始要求を送信するように構成されている通知開始要求送信部２２と、マクロ無線基地局ＭＢＳが、通知開始要求に応じて、マクロ無線基地局ＭＢＳ配下のマクロセルにおいて割り当てられている所定信号を送信するための無線リソース、フェムト無線基地局ＦＢＳ配下のフェムトセルにおいて使用可能な無線リソース、或いは、フェムト無線基地局ＦＢＳ配下のフェムトセルにおいて使用不可能な無線リソースを通知するスケジューリング情報を送信した場合、かかるスケジューリング情報を受信するように構成されているスケジューリング情報受信部２４と、受信されたスケジューリング情報に基づいて、フェムト無線基地局ＦＢＳ配下のフェムトセルにおいて所定信号を送信するための無線リソースを割り当てるように構成されているスケジューリング処理部２５とを具備することを要旨とする。
【０１１３】
なお、上述のマクロ無線基地局ＭＢＳやフェムト無線基地局ＦＢＳやマクロ移動局ＭＵＥやフェムト移動局ＦＵＥの動作は、ハードウェアによって実施されてもよいし、プロセッサによって実行されるソフトウェアモジュールによって実施されてもよいし、両者の組み合わせによって実施されてもよい。
【０１１４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、マクロ無線基地局ＭＢＳやフェムト無線基地局ＦＢＳやマクロ移動局ＭＵＥやフェムト移動局ＦＵＥ内に設けられていてもよい。また、かかる記憶媒体及びプロセッサは、ディスクリートコンポーネントとしてマクロ無線基地局ＭＢＳやフェムト無線基地局ＦＢＳやマクロ移動局ＭＵＥやフェムト移動局ＦＵＥ内に設けられていてもよい。
【０１１６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
0005645671.tif 000002
【図２】
0005645671.tif 000003
【図３】
0005645671.tif 000004
【図４】
0005645671.tif 000005
【図５】
0005645671.tif 000006
【図６】
0005645671.tif 000007
【図７】
0005645671.tif 000008